(57)【要約】【課題】使用禁止エリア内の移動無線端末に発呼した発呼者に対して、電源オフ中の移動無線端末以外の方法でコンタクト可能にするための手段を提供する。【解決手段】基地局10のデータベース11には、通話禁止エリアに配置されたゲート30と、その通話禁止エリアに関する情報が登録されている。移動無線端末Aが通話禁止エリアに配置されたゲート30を通過すると、ゲート30は移動無線端末Aに電源OFF設定を送信し、移動無線端末Aから受信した移動無線端末Aの電話番号情報を基地局10に送信する。基地局10は、ゲート30から受信した当該電話番号をゲート30と関連付けて登録する。ユーザCが移動無線端末Cから移動無線端末Aに発呼すると、基地局10により、移動無線端末Aが現在通話禁止エリア内にあって電源OFF状態であることが確認され、移動無線端末Aにはアクセスせずに、移動無線端末Aが位置している通話禁止エリアの情報をユーザCに通知する。【選択図】図１
2007129359.tif 000002
【特許請求の範囲】
【請求項１】
通話禁止エリアの入口に配置されたゲートにおいて、該ゲートを通過して前記通話禁止エリアに入る移動無線端末に対して電源をオフに設定する信号を送信するとともに、前記移動無線端末から取得した当該移動無線端末の情報に当該ゲートの識別情報を付加して基地局へ通知し、基地局において、前記ゲートが配置された前記通話禁止エリアに関連する情報を登録管理するとともに、前記ゲートから受信した前記移動無線端末の情報を当該ゲートと関連付けて登録管理し、前記通話禁止エリア内の前記移動無線端末に着呼があったとき、前記基地局は前記通話禁止エリア内の移動無線端末にはアクセスせずに、発呼者に対して前記移動無線端末が位置している前記通話禁止エリアに関連する情報を通知することを特徴とする通話禁止エリア内の移動無線端末に対する発呼者への応答サービス方法。
【請求項２】
前記基地局は、前記通話禁止エリアに関連する情報として、前記通話禁止エリアの名称、住所、電話番号、地図情報の少なくとも一つを含む情報を前記発呼者に通知することを特徴とする請求項１に記載の通話禁止エリア内の移動無線端末に対する発呼者への応答サービス方法。
【請求項３】
通話禁止エリアの入口に配置されたゲートから発信される移動無線端末の電源オフ信号を受信することにより、当該移動無線端末の電源をオフにするシステムにおいて、
前記ゲートに、該ゲートを通過して前記通話禁止エリアに入る前記移動無線端末に対して電源をオフに設定する信号を送信する手段と、前記移動無線端末から当該移動無線端末の情報を取得する手段と、該取得した移動無線端末の情報に当該ゲート識別情報を付加して基地局へ通知する手段を設け、
前記基地局に、前記ゲートが配置された前記通話禁止エリアに関連する情報を登録管理する手段と、前記ゲートから当該ゲートの識別情報が付加された前記移動無線端末の情報を受けたとき、前記移動無線端末の情報を前記受信したゲートと関連付けて登録管理する手段と、前記通話禁止エリア内の前記移動無線端末に着呼があったとき、発呼者に対して前記登録管理されている前記移動無線端末が位置している前記通話禁止エリアに関連する情報を通知する手段を設けた、
ことを特徴とする通話禁止エリア内の移動無線端末に対する発呼者への応答サービスシステム。
【請求項４】
前記通話禁止エリアに関連する情報は、前記通話禁止エリアの名称、住所、電話番号、地図情報の少なくとも一つを含んでいることを特徴とする請求項３に記載の通話禁止エリア内の移動無線端末に対する発呼者への応答サービスシステム。
【請求項５】
請求項３又は４に記載の通話禁止エリア内の移動無線端末に対する発呼者への応答サービスシステムで用いられる移動無線端末であって、
前記通話禁止エリアの入口に配置されたゲートから送信されている移動端末の電源をオフに設定する信号を受信したときに、当該移動端末の電話番号情報を前記ゲートへ送信してから電源をオフにする手段を備えていることを特徴とする移動無線端末。
【請求項６】
請求項３又は４に記載の通話禁止エリア内の移動無線端末に対する発呼者への応答サービスシステムで用いられるゲートであって、
該ゲートを通過して前記通話禁止エリアに入る前記移動無線端末に対して電源をオフに設定する信号を送信する手段と、前記移動無線端末から当該移動無線端末の情報を取得する手段と、該取得した移動無線端末の情報に当該ゲート識別情報を付加して前記基地局へ通知する手段を備えていることを特徴とするゲート。
【請求項７】
請求項３又は４に記載の通話禁止エリア内の移動無線端末に対する発呼者への応答サービスシステムで用いられる基地局であって、
前記ゲートが配置された前記通話禁止エリアに関連する情報を登録管理する手段と、前記ゲートから当該ゲートの識別情報が付加された前記移動無線端末の情報を受けたとき、前記移動無線端末の情報を前記受信したゲートと関連付けて登録管理する手段と、前記通話禁止エリア内の前記移動無線端末に着呼があったとき、発呼者に対して前記登録管理されている前記移動無線端末が位置している前記通話禁止エリアに関連する情報を通知する手段を備えていることを特徴とする基地局。
【発明の詳細な説明】
【技術分野】
【０００１】
本発明は、通話禁止エリア内に入場して電源がオフとなっている携帯電話機等の移動無線端末に対して通話禁止エリア外から発呼が行われたときの処理技術に関する。
【背景技術】
【０００２】
携帯電話機等の移動無線端末は通信を行うときに比較的強い電磁波を発生することから、電子医療機器、ペースメーカー等の各種電子機器や制御装置に対して悪影響を及ぼす虞がある。そして、この強い電磁波を発生する通信動作は移動無線端末による通話中に限らず、即ち、移動無線端末の所持者の意図によるものではないときであっても行われることがあるので、電子医療機器が備えられている病院内や、電車内、飛行機内等の公共の場所では、移動無線端末の電源を落とすようアナウンスが行われている。
【０００３】
しかし、移動無線端末の所持者が電源をオフにし忘れた場合には、使用禁止領域内において移動無線端末による通信が行われ、移動無線端末から強い電磁波が放射されて周囲の電子機器等に悪影響を及ぼす虞があるという問題があった。また、マナー的な観点から、上記場所以外にも映画館・学校等で移動無線端末の電源を切ることが求められる場所は多く存在する。このような問題に対する解決手段として、移動無線端末使用禁止エリアへの進入路上にゲート等を設け、強制的に移動無線端末の電源を切るシステムが、例えば特許文献１〜３等において提案されている。
【０００４】
特許文献１に記載のシステムでは、移動無線端末に、電源オフ要求信号を受信して電源をオフする電源オフ手段を備えるとともに、前記電源オフ要求信号の送信を含む通信を行う通信装置を、移動無線端末の使用が禁止されている禁止領域への進入経路に設置されるゲートに設け、電源がオンされた状態の移動無線端末が前記禁止領域に設置されたゲートを通過するときに、前記通信装置から送信される電源オフ要求信号が移動無線端末で受信され、移動無線端末の電源を前記電源オフ手段により強制的にオフしている。
【０００５】
また、特許文献２に記載のシステムでは、移動無線端末が使用禁止エリアの入口に設置された小型基地局が送出する使用禁止信号を受信すると、この移動無線端末が無線交換局に対して、移動無線端末が使用禁止エリアに入ったことを通知する通知信号を発信し、使用停止中に当該移動無線端末に着信があったとき相手の移動無線端末にその旨を通知するとともに、その着信を履歴情報として保持することを要求する請求信号を送信した後、当該移動無線端末の送信機能を停止している。
【０００６】
無線交換局は、他の移動無線端末からこの使用禁止エリア内の移動無線端末に着信があると、発呼した移動無線端末に対して、相手の移動無線端末は現在使用禁止エリア内にある旨を通知するとともに、この着信の日時や発呼した移動無線端末の電話番号，その利用者の氏名などの属性情報、および、通話内容やメール内容が送られてきた場合には、これら通信情報を、履歴情報として保持し、その後、前記の移動無線端末が使用禁止エリア外に出て使用禁止が解除されたときに、基地局への位置登録の要求を行なうとともに、着信等履歴の問い合わせ要求を行って無線交換局が保持している前記履歴情報を受信することにより、使用禁止エリアに入っていたときの着信情報を取得可能にしている。
【０００７】
また、特許文献３に記載のシステムでは、移動無線端末の所持者が、簡易基地局装置を入口に備えた使用禁止エリアに接近して電源ＯＦＦ要求信号を受信すると、移動無線端末はその応答として自端末の電話番号を付加した停止番号通知を簡易基地局装置に送信し、その後、自発的に無線部の電源をＯＦＦとし、簡易基地局装置では、受信した停止番号通知を通信休止設定のメッセージ信号として、公衆基地局を経由して無線ネットワークに接続されている位置管理サーバに送信し、位置管理サーバでは、該移動無線端末が現在通信休止中であることを登録しておき、別の移動無線端末が該移動無線端末に対して発信した場合には、無線ネットワークは前記位置管理サーバの情報を参照して、現在該移動無線端末が通信休止中であることを認識し、該移動無線端末が位置登録している公衆基地局装置に対して着信処理を行わずに、該位置管理サーバに登録してあるサービス内容を参照して、発信移動無線端末に対してサービスを提供している。
【０００８】
この停止番号通知および通信休止設定信号には、通信休止中に該移動無線端末に発信してきた電話機に対するサービス内容を選択的に格納することが可能であり、その情報も該位置管理サーバに登録される。従って例えば、留守番電話サービスが設定されていた場合には、音声蓄積センタに接続して発信者のメッセージが蓄積され、移動無線端末が使用禁止エリア外に出て使用禁止が解除されたときに、蓄積されている前記発信者のメッセージを取得可能にしている。
【０００９】
【特許文献１】特開２００５−１４２９４０号公報
【特許文献２】特開２００３−１３４５６４号公報
【特許文献３】特開平１１−０６９４１２号公報
【発明の開示】
【発明が解決しようとする課題】
【００１０】
このように上記各特許文献に記載の技術によれば、移動無線端末の所持者が移動無線端末の電源のオン／オフを意識していない場合であっても、この所持者が前記ゲートを通過するだけでその所持している移動無線端末の電源が自動的にオフされるので、前記ゲートの先にある移動無線端末の使用禁止領域内において、前記移動無線端末が所持者の意図しない通信を行ってその領域内に設置された電子機器等に悪影響を及ぼすことを防ぐことができる。
【００１１】
しかし、上記各特許文献に記載の技術の場合、使用禁止エリア内に滞在中のユーザの移動無線端末に着信があっても、ユーザがこの着信を知るには、ユーザが使用禁止エリア外へ出て、移動無線端末の電源が再投入され、かつ基地局と通信が可能な状態となるまで待たなければならず、緊急時で一刻を争うような場面においては現状のユーザが求める利便性として不十分なものである。
【００１２】
本発明の目的は、上記問題点に鑑み、使用禁止エリア内に滞在中のユーザの移動無線端末に発呼した発呼者に対して、電源オフ中の移動無線端末以外の方法で着呼者にコンタクト可能にするための手段を提供することによって、ユーザの利便性をより高めることにある。
【課題を解決するための手段】
【００１３】
本発明の通話禁止エリア内の移動無線端末に対する発呼者への応答サービス方法は、通話禁止エリアの入口に配置されたゲートにおいて、該ゲートを通過して前記通話禁止エリアに入る移動無線端末に対して電源をオフに設定する信号を送信するとともに、前記移動無線端末から取得した当該移動無線端末の情報（電話番号）に当該ゲートの識別情報を付加して基地局へ通知し、基地局において、前記ゲートが配置された前記通話禁止エリアに関連する情報（通話が禁止されている病院・映画館・電車等の入退場が管理されている施設の名称、住所、電話番号、案内地図等）を登録管理するとともに、前記ゲートから受信した前記移動無線端末の情報を当該ゲートと関連付けて登録管理し、前記通話禁止エリア内の前記移動無線端末に着呼があったとき、前記基地局は前記通話禁止エリア内の移動無線端末にはアクセスせずに、発呼者に対して前記移動無線端末が位置している前記通話禁止エリアに関連する情報を通知するサービスを行うことを特徴としている。
【００１４】
また、本発明の通話禁止エリア内の移動無線端末に対する発呼者への応答サービスシステムは、通話禁止エリアの入口に配置されたゲートから発信される移動無線端末の電源オフ信号を受信することにより、当該移動無線端末の電源をオフにするシステムにおいて、前記ゲートに、該ゲートを通過して前記通話禁止エリアに入る前記移動無線端末に対して電源をオフに設定する信号を送信する手段と、前記移動無線端末から当該移動無線端末の情報（電話番号）を取得する手段と、該取得した移動無線端末の情報に当該ゲート識別情報を付加して基地局へ通知する手段を設け、前記基地局に、前記ゲートが配置された前記通話禁止エリアに関連する情報（通話が禁止されている病院・映画館・電車等の入退場が管理されている施設の名称、住所、電話番号、案内地図等）を登録管理する手段と、前記ゲートから当該ゲートの識別情報が付加された前記移動無線端末の情報を受けたとき、前記移動無線端末の情報を前記受信したゲートと関連付けて登録管理する手段と、前記通話禁止エリア内の前記移動無線端末に着呼があったとき、発呼者に対して前記登録管理されている前記移動無線端末が位置している前記通話禁止エリアに関連する情報を通知する手段を設けたことを特徴としている。
【００１５】
前記通話禁止エリアに関連する情報としては、例えば、前記通話禁止エリアの名称（施設の名称）、住所、電話番号、地図情報等により構成される。またそれらの情報を全て含む必要がない場合には、必要な情報のみを含む構成とすることができる。
【発明の効果】
【００１６】
本発明によれば、通話禁止エリア内で電源をオフにされた移動無線端末に発呼した発呼者に対して、当該移動無線端末が位置している通話禁止エリアに関する情報が通知されるので、緊急時等において、発呼者が移動無線端末以外の手段で着呼者にコンタクトする方法を提供することが可能となり、着呼者は使用禁止エリア外へ出て、移動無線端末の電源が再投入され基地局と通信可能な状態となる前に、発呼者からの緊急情報を別の手段で取得することが可能となる。
【００１７】
また、通話禁止エリア内で電源をオフにされた移動無線端末の情報は基地局で管理されているので、発呼者からの電話番号情報が基地局に送信された時点で、当該電話番号の移動無線端末には電源が入っていないことを基地局が即座に検出することができ、発呼者に対する基地局からの応答およびサービスの提供も早くなる。
【発明を実施するための最良の形態】
【００１８】
図１は、通話禁止エリア内の移動無線端末に対する発呼者への応答サービスを提供する本発明のシステム構成例を示す概略図である。
【００１９】
図１において、基地局１０にはデータベース（ＤＢ）１１、各通話可能エリア内で移動無線端末と送受信するアンテナ２０〜２２と、通話禁止エリアの入口に配置されてそこを通過する移動無線端末と送受信するゲート３０が接続されている。ＤＢ１１にはゲート３０から通知されるユーザ情報が格納される。ここでユーザ情報とは、ゲートがユーザの通過を認識した際に送信してくる、ユーザ情報（電話番号等）とゲート情報（発呼者に通知したい情報）が紐付けられた情報である。なお、ゲート情報は、通話禁止エリア（例：病院，映画館等）ごとに固定された情報であるので、ゲート３０から当該エリアの基地局１０に予め送信して登録しておき、ゲートがユーザの通過を認識した際にはユーザ情報とゲート識別情報を紐付けた情報を基地局１０に送信すればよい。
【００２０】
本構成では、ゲート３０は通話禁止エリア（例：病院，映画館等）の唯一の出入り口であり、電源ＯＮ状態の移動無線端末を所持したユーザがゲート３０を通過して入場すると移動無線端末Ａのように電源がＯＦＦとなり、ゲート３０を通過して退場すると移動無線端末Ｂのように電源がＯＮとなる。移動無線端末Ｂ及びＣは通話可能エリア内（点線の円内）で電源がＯＮのため着呼・発呼可能である。逆に移動無線端末Ａは通話禁止エリア内（一点鎖線枠内）であるため電源がＯＦＦであり、着呼・発呼不可能である。各移動無線端末Ａ〜ＣはそれぞれユーザＡ〜Ｃが使用しているものとする。また、ゲート３０は基地局１０とユーザ情報を随時通信する。
【００２１】
図２は、図１に示す移動無線端末４０とゲート３０の内部構成を示す概略ブロック図であり、移動無線端末４０は、基地局のアンテナ２０〜２２あるいはゲート３０との間で電磁波による送受信を行うアンテナ４１と、無線信号を、アンテナ４１を介して受信及び送信する通信処理部４２と、通信処理部４２で受信又は送信される信号に含まれる音声信号を処理する音声処理部４５と、音声処理部４５で処理された信号を外部に放音するスピーカ４７と、外部音声を集音して音声処理部４５に供給するマイク４８を有している。
【００２２】
制御部４４は、通信処理部４２、音声処理部４５、キー入力部４３からの信号を処理して電源のオン／オフ制御を含む移動無線端末４０全体の制御を行う。表示部４６は、制御部４４から出力される携帯電話４０の各種状態や警告等の表示を行う。なお、アンテナ４１及び通信処理部４２を基地局アンテナ２０〜２２との間の通信専用とし、ゲート３０との間で近距離通信を行うアンテナ及び通信処理部を、アンテナ４１及び通信処理部４２とは別に設ける構成としてもよい。
【００２３】
一方、ゲート３０は、アンテナ３１と、アンテナ３１を介して移動無線端末４０との間で送受信される信号を処理する通信処理部３２と、基地局１０と有線あるいは無線で接続され、基地局との間で送受信される信号を処理する通信処理部３４と、通信処理部３２、３４と接続され、ゲート３０の動作を制御する制御部３３を有している。また、基地局１０に接続されたデータベース１１には、ゲート３０を通過して通話禁止エリア内に入った移動無線端末情報（電話番号）とゲート３０が配置された通話禁止エリアに関連する情報がセットで、あるいは互いに関連付けされた状態で登録される。
【００２４】
図３は、データベース１１に登録される情報の例を示しており、図３（ａ）は、ゲート３０が配置されている施設の名称、住所、電話番号、地図情報等が、各ゲートと対応して登録されているテーブル、図３（ｂ）は、各通話禁止エリア内電源オフ状態とされている携帯電話番号情報が、それぞれのゲートと対応して登録されるテーブルである。
【００２５】
基地局１０は、通話禁止エリア内で電源オフ状態の移動無線端末に対する着信があると、テーブル図３（ｂ）を参照することにより、着信のあった移動無線端末が滞在している通話禁止エリアのゲートを抽出し、次に、図３（ａ）を参照することにより、抽出したゲートが配置された施設の名称、住所、電話番号、地図情報等を抽出し、発呼者に対して、着信要求を受けた移動無線端末は、現在通話禁止エリア内にあるため接続できないことを通知するとともに、テーブル（図３（ａ））から抽出した当該施設の名称、住所、電話番号、地図情報等を音声、あるいはメール等により発呼者に通知する。
【００２６】
図４は、本実施形態における基地局１０とゲート３０、および移動無線端末との間の伝送手順を示すシーケンス図である。以下、図１〜図４を参照して、本実施形態の動作について説明する。
【００２７】
基地局のデータベース１１には、各通話禁止エリアに配置されたゲート３０と、その施設の名称、住所、電話場号、地図情報等が、予めそれぞれのゲートから送信されることにより図３（ａ）に示すようなテーブルとして登録されている。まず移動無線端末Ａを所持しているユーザＡがある通話禁止エリアに配置されたゲート３０を通過すると、ゲート３０から送信されている『電源ＯＦＦ設定』信号を受信する。移動無線端末Ａはこの電源ＯＦＦ設定指示を受けると、移動無線端末Ａの電話番号情報をゲート３０に送信した後、移動無線端末Ａの電源をＯＦＦにする。
【００２８】
ゲート３０は、移動無線端末Ａから送信されたユーザＡが所持する移動無線端末Ａの電話番号情報を受信すると、該受信した移動無線端末Ａの電話番号情報と当該ゲート３０の識別情報とを関連付けした情報を、基地局１０に送信する。基地局１０は、ユーザＡが所持する移動無線端末Ａがゲート３０を通過し、現在移動無線端末Ａの電源がＯＦＦ状態であることを認識し、当該電話番号を受信したゲート３０の識別情報と関連付けて登録する（図３（ｂ））。
【００２９】
この状態のとき、通話可能エリア内のユーザＣが移動無線端末ＣからユーザＡの移動無線端末Ａに対して発呼したとすると、基地局１０は、テーブル（図３（ｂ））を参照することにより、ユーザＡの移動無線端末Ａは現在通話禁止エリア内にあって電源ＯＦＦ状態であることが確認できるので、移動無線端末Ａにはアクセスせずに、テーブル（図３（ａ））を参照して、移動無線端末Ａが現在位置している情報つまり通話禁止エリアにいることをメール等の通信手段を用いて移動無線端末Ｃに通知する。その際、移動無線端末Ｃに通知する通話禁止エリアの具体的情報としては、例えば図３（ａ）に示すような、施設の名称・住所・電話番号・地図等の情報と、その施設に緊急時の連絡先が設定されている場合には、それを合わせて通知する。
【００３０】
従って、ユーザＣは、ユーザＡと移動無線端末による連絡が取れない場合であっても、ユーザＡが現在いる場所、その場所の住所・電話番号・地図等の情報を得ることができるので、緊急の場合には、通知された場所へ直接出向く、あるいは通知された電話番号に電話することによりユーザＡを呼び出してもらう等、電源オフ中の移動無線端末以外の方法でユーザＡとコンタクトを取ることが可能となる。なお、通話禁止エリアの情報は上記全ての情報を含む必要はなく、それらの中から適宜選択して設定可能である。
【００３１】
その後、移動無線端末Ａがゲート３０を通過することで、移動無線端末Ａは、ゲート３０からの送信信号により、『電源ＯＮ設定』の指示を受けたと判定して、移動無線端末Ａの電源をＯＮにする。ゲート３０は移動無線端末Ａの情報削除設定を基地局１０に送信し、基地局１０はデータベース１１内の移動無線端末Ａの情報を図３（ｂ）のテーブルから削除する。以降は移動無線端末ＣからのユーザＡに対する発呼も通常通り行われる。
【図面の簡単な説明】
【００３２】
【図１】通話禁止エリア内の移動無線端末に対する発呼者への応答サービスを提供する本発明のシステム構成例を示す概略図である。
【図２】本実施形態における移動無線端末とゲートの内部構成例を示す概略ブロック図である。
【図３】本実施形態におけるデータベースに登録される情報の例を示すテーブルである。
【図４】本実施形態における基地局とゲート、および移動無線端末との間の伝送手順を示すシーケンス図である。
【符号の説明】
【００３３】
１０  基地局
１１  データベース
２０，２１，２２  基地局アンテナ
３０  ゲート
３１  アンテナ
３２，３４  通信処理部
３３  制御部
４０  移動無線端末
４１  アンテナ
４２  通信処理部
４３  キー入力部
４４  制御部
４５  音声処理部
４６  表示部
４７  スピーカ
４８  マイク
【図１】
2007129359.tif 000003
【図２】
2007129359.tif 000004
【図３】
2007129359.tif 000005
【図４】
2007129359.tif 000006